(57)【要約】【課題】端末機のアドレスの管理にかかる負荷を軽減することが可能なアドレス管理装置を提供する。【解決手段】監視部４１０は、端末機１００の通信インターフェースに設定されたアドレスを受信し、そのアドレスが第二ネットワークに所属するか否かを判定する。そのアドレスが第二ネットワークに所属していないと、広告部４２０は、そのアドレスを削除する旨の削除指示を端末機１００に送信する。端末機１００の受信部１１０がその削除指示を受信すると、設定部１１０は、その削除指示にて削除が指示されたアドレスを通信インターフェース１３０から削除する。【選択図】図２
2007288315.tif 000002
【特許請求の範囲】
【請求項１】
端末機と接続され、所定のネットワークに所属するアドレス管理装置であって、
前記端末機から、該端末機に設定されたアドレスを受信し、該アドレスが前記所定のネットワークに含まれるか否かを判定する監視部と、
前記監視部にて前記アドレスが前記所定のネットワークに含まれないと判定されると、前記アドレスを削除する旨の削除指示を前記端末機に送信する広告部と、を含むアドレス管理装置。
【請求項２】
請求項１に記載のアドレス管理装置において、
前記所定のネットワークのプレフィックスを記憶する記憶部を含み、
前記監視部は、前記アドレスを受信すると、前記記憶部に記憶されたプレフィックスを確認し、前記アドレスが前記所定のネットワークに含まれるか否かを、前記アドレスが前記プレフィックスを持つか否かで判定する、アドレス管理装置。
【請求項３】
請求項１または２に記載のアドレス管理装置において、
前記広告部は、前記監視部にて前記アドレスが前記所定のネットワークに含まれないと判定されると、前記アドレスからプレフィックスを抽出し、該抽出したプレフィックスを持つアドレスを削除する旨の削除指示を前記端末機に送信する、アドレス管理装置。
【請求項４】
端末機と、前記端末機と接続され、所定のネットワークに所属するアドレス管理装置と、を含むアドレス管理システムであって、
前記アドレス管理装置は、
前記端末機から、該端末機に設定されたアドレスを受信し、該アドレスが前記所定のネットワークに含まれるか否かを判定する監視部と、
前記監視部にて前記アドレスが前記所定のネットワークに含まれないと判定されると、前記アドレスを削除する旨の削除指示を前記端末機に送信する広告部と、を含み、
前記端末機は、
前記アドレスが設定され、該アドレスを前記アドレス管理装置に送信する通信部と、
前記アドレス管理装置から、前記削除指示を受信する受信部と、
前記受信部が受信した削除指示にて削除が指示されたアドレスを前記通信部から削除する設定部と、を含む、アドレス管理システム。
【請求項５】
請求項４に記載のアドレス管理システムにおいて、
前記アドレス管理装置は、前記所定のネットワークのプレフィックスを記憶する記憶部を含み、
前記監視部は、前記アドレスを受信すると、前記記憶部に記憶されたプレフィックスを確認し、前記アドレスが前記所定のネットワークに含まれるか否かを、前記アドレスが前記プレフィックスを持つか否かで判定する、アドレス管理システム。
【請求項６】
請求項４または５に記載のアドレス管理システムにおいて、
前記広告部は、前記監視部にて前記アドレスが前記所定のネットワークに含まれないと判定されると、前記アドレスからプレフィックスを抽出し、該抽出したプレフィックスを持つアドレスを削除する旨の削除指示を前記端末機に送信する、アドレス管理システム。
【請求項７】
端末機と接続され、所定のネットワークに所属するアドレス管理装置が行うアドレス管理方法であって、
前記端末機から、該端末機に設定されたアドレスを受信する受信ステップと、
前記アドレスが前記所定のネットワークに含まれるか否かを判定する判定ステップと、
前記判定ステップにて前記アドレスが前記所定のネットワークに含まれないと判定されると、前記アドレスを削除する旨の削除指示を前記端末機に送信する送信ステップと、を含むアドレス管理方法。
【請求項８】
請求項７に記載のアドレス管理方法において、
前記アドレス管理装置は、前記所定のネットワークのプレフィックスを記憶する記憶部を含み、
前記受信ステップにて前記アドレスが受信されると、前記記憶部に記憶されたプレフィックスを確認する確認ステップを含み、
前記判定ステップでは、前記アドレスが前記所定のネットワークに含まれるか否かを、前記アドレスが前記プレフィックスを持つか否かで判定する、アドレス管理方法。
【請求項９】
請求項７または８に記載のアドレス管理方法において、
前記判定ステップにて前記アドレスが前記所定のネットワークに含まれないと判定されると、前記アドレスからプレフィックスを抽出する抽出ステップと、
前記抽出されたプレフィックスを持つアドレスを削除する旨の削除指示を送信する出力ステップと、をさらに含むアドレス管理方法。
【請求項１０】
アドレスが設定された通信部を含む端末機と、前記端末機と接続され、所定のネットワークに所属するアドレス管理装置と、を含むアドレス管理システムが行うアドレス管理方法であって、
前記端末機が、前記アドレスを前記アドレス管理装置に送信するアドレス送信ステップと、
前記アドレス管理装置が、前記端末機から、前記アドレスを受信する受信ステップと、
前記アドレス管理装置が、前記アドレスが前記所定のネットワークに含まれるか否かを判定する判定ステップと、
前記アドレス管理装置が、前記判定ステップにて前記アドレスが前記所定のネットワークに含まれないと判定されると、前記アドレスを削除する旨の削除指示を前記端末機に送信する送信ステップと、
前記端末機が、前記削除指示を前記アドレス管理装置から受信する受付ステップと、
前記端末機が、前記受信された削除指示にて削除が指示されたアドレスを前記通信部から削除する削除ステップと、を含むアドレス管理方法。
【請求項１１】
請求項１０に記載のアドレス管理方法において、
前記アドレス管理装置は、前記所定のネットワークのプレフィックスを記憶する記憶部を含み、
前記アドレス管理装置が、前記受信ステップにて前記アドレスが受信されると、前記記憶部に記憶されたプレフィックスを確認する確認ステップを含み、
前記判定ステップでは、前記アドレスが前記所定のネットワークに含まれるか否かを、前記アドレスが前記プレフィックスを持つか否かで判定する、アドレス管理方法。
【請求項１２】
請求項１０または１１に記載のアドレス管理方法であって、
前記アドレス管理装置が、前記判定ステップにて前記アドレスが前記所定のネットワークに含まれないと判定されると、前記アドレスからプレフィックスを抽出する抽出ステップと、
前記アドレス管理装置が、前記抽出されたプレフィックスを持つアドレスを削除する旨の削除指示を送信する出力ステップと、をさらに含むアドレス管理方法。
【発明の詳細な説明】
【技術分野】
【０００１】
本発明は、端末機のアドレスを管理するアドレス管理装置、アドレス管理システムおよびアドレス管理方法に関する。
【背景技術】
【０００２】
従来、端末機は、特定のネットワークに接続されると、その後、その特定のネットワークと異なるネットワークに接続されることは稀であった。近年では、端末機と接続されるネットワークが変更されることが多くなっている。
【０００３】
端末機が接続するネットワークを変更すると、変更後のネットワークのアドレスが、その端末機に設定されなければならない。端末機は、接続するネットワークを変更しても、誤って変更前のネットワークのアドレスで変更後のネットワークに接続すると、通信先が送信したパケットが、その端末機まで到達できずに、通信が失敗する可能性があった。
【０００４】
特許文献１（特開２００３−２９８６３５号公報）には、端末機が自己のアドレスと異なるアドレスでネットワークに接続することを防止することが可能なソースアドレス選択システムが記載されている。
【０００５】
このソースアドレス選択システムは、インターネットサービスプロバイダ（以下、プロバイダという）とルータ装置とを含む。ルータ装置は、自己と接続されたプロバイダから、そのプロバイダが所属するネットワークのネットワークプレフィックス（以下、プレフィックスという）を、プロバイダから受信する。また、ルータ装置は、通信ノードから送信されたパケットを受信する。
【０００６】
ルータ装置は、そのパケットが含むアドレスが、プロバイダから受信したプレフィックスを持つアドレスか否かを確認する。そのアドレスがそのプレフィックスを持つアドレスでないと、ルータ装置は、プロバイダから受信したプレフィックスを通信ノードに通知する。通信ノードは、そのプレフィックスを持つアドレスを生成し、そのアドレスを自己に設定する。
【０００７】
このため、通信ノードが、接続しているネットワーク（プロバイダが所属するネットワーク）のプレフィックスを持つアドレスと異なるアドレスを含むパケットを送信しても、接続しているネットワークのアドレスに変更される。よって、自己のアドレスと異なるアドレスでネットワークに接続することを防止することが可能になっている。
【特許文献１】特開２００３−２９８６３５号公報
【発明の開示】
【発明が解決しようとする課題】
【０００８】
特許文献１に記載のソースアドレス選択システムでは、通信ノードは、所定の条件を満たすと、ルータ装置から通知されたプレフィックスを持つアドレス（以下、変更後アドレスという）を削除する。また、通信ノードが、ルータ装置からプレフィックスが通知される前のアドレス（以下、変更前アドレスという）を削除する記載はない。
【０００９】
このため、通信ノードが変更後アドレスを削除すると、その後、通信ノードが変更前アドレスを含むパケットを送信する可能性がある。
【００１０】
ルータ装置は、通信ノードが変更前アドレスを含むパケットを送信するたびに、通信ノードにプレフィックスを通知しなければならない。このため、ルータ装置にかかる負荷が増加するという問題が生ずる。
【００１１】
本発明の目的は、端末機のアドレスの管理にかかる負荷を軽減することが可能なアドレス管理装置、アドレス管理システムおよびアドレス管理方法を提供することである。
【課題を解決するための手段】
【００１２】
前記目的を達成するために、本発明のアドレス管理装置は、端末機と接続され、所定のネットワークに所属するアドレス管理装置であって、前記端末機から、該端末機に設定されたアドレスを受信し、該アドレスが前記所定のネットワークに含まれるか否かを判定する監視部と、前記監視部にて前記アドレスが前記所定のネットワークに含まれないと判定されると、前記アドレスを削除する旨の削除指示を前記端末機に送信する広告部と、を含む。
【００１３】
また、本発明のアドレス管理方法は、端末機と接続され、所定のネットワークに所属するアドレス管理装置が行うアドレス管理方法であって、前記端末機から、該端末機に設定されたアドレスを受信する受信ステップと、前記アドレスが前記所定のネットワークに含まれるか否かを判定する判定ステップと、前記監視ステップにて前記アドレスが前記所定のネットワークに含まれないと判定されると、前記アドレスを削除する旨の削除指示を前記端末機に送信する送信ステップと、を含む。
【００１４】
また、本発明のアドレス管理システムは、端末機と、前記端末機と接続され、所定のネットワークに所属するアドレス管理装置と、を含むアドレス管理システムであって、前記アドレス管理装置は、前記端末機から、該端末機に設定されたアドレスを受信し、該アドレスが前記所定のネットワークに含まれるか否かを判定する監視部と、前記監視部にて前記アドレスが前記所定のネットワークに含まれないと判定されると、前記アドレスを削除する旨の削除指示を前記端末機に送信する広告部と、を含み、前記端末機は、アドレスが設定され、該アドレスを前記アドレス管理装置に送信する通信部と、前記アドレス管理装置から、前記削除指示を受信する受信部と、前記受信部が受信した削除指示にて削除が指示されたアドレスを前記通信部から削除する設定部と、を含む。
【００１５】
また、本発明のアドレス管理システムが行うアドレス管理方法は、アドレスが設定された通信部を含む端末機と、前記端末機と接続され、所定のネットワークに所属するアドレス管理装置と、を含むアドレス管理システムが行うアドレス管理方法であって、前記端末機が、前記アドレスを前記アドレス管理装置に送信するアドレス送信ステップと、前記アドレス管理装置が、前記端末機から、前記アドレスを受信する受信ステップと、前記アドレス管理装置が、前記アドレスが前記所定のネットワークに含まれるか否かを判定する判定ステップと、前記アドレス管理装置が、前記判定ステップにて前記アドレスが前記所定のネットワークに含まれないと判定されると、前記アドレスを削除する旨の削除指示を前記端末機に送信する送信ステップと、前記端末機が、前記削除指示を前記アドレス管理装置から受信する受付ステップと、前記端末機が、前記受信された削除指示にて削除が指示されたアドレスを前記通信部から削除する削除ステップと、を含む。
【００１６】
上記の発明によれば、端末機に設定されたアドレスが、所定のネットワークに含まれるか否かが判定される。そのアドレスが所定のネットワークに含まれないと、そのアドレスを削除する旨の削除指示が端末機に送信される。
【００１７】
このため、削除指示にて削除が指示されたアドレスが削除されれば、所定のネットワークに含まれないアドレスが何度もアドレス管理装置に送信されることを防止することが可能になる。よって、端末機のアドレスの管理にかかる負荷を軽減することが可能になる。
【００１８】
また、前記所定のネットワークのプレフィックスを記憶する記憶部を含み、前記監視部は、前記アドレスを受信すると、前記記憶部に記憶されたプレフィックスを確認し、前記アドレスが前記所定のネットワークに含まれるか否かを、前記アドレスが前記プレフィックスを持つか否かで判定することが望ましい。
【００１９】
上記の発明によれば、アドレスが所定のネットワークに含まれるか否かが、そのアドレスが所定のネットワークのプレフィックスを持つか否かで判定される。
【００２０】
このため、アドレスが所定のネットワークに含まれるか否かを、より正確に判定することが可能になる。
【００２１】
また、前記広告部は、前記監視部にて前記アドレスが前記所定のネットワークに含まれないと判定されると、前記アドレスからプレフィックスを抽出し、該抽出したプレフィックスを持つアドレスを削除する旨の削除指示を前記端末機に送信することが望ましい。
【００２２】
上記の発明によれば、端末機に設定されたアドレスが、所定のネットワークに含まれないと、そのアドレスからプレフィックスが抽出される。また、そのプレフィックスを持つアドレスを削除する旨の削除指示が送信される。
【００２３】
このため、端末機が送信したアドレスだけでなく、そのアドレスの所属するネットワークのアドレスを全て削除することが可能になる。このため、アドレスを削除する旨の削除指示がアドレスごとに送信されなくても良くなり、端末機のアドレスの管理にかかる負荷を軽減することが可能になる。
【発明の効果】
【００２４】
本発明によれば、端末機のアドレスの管理にかかる負荷を軽減することが可能になる。
【発明を実施するための最良の形態】
【００２５】
以下、本発明の実施例について図面を参照して説明する。なお、本実施例では、アドレス管理装置としてルータを用いて説明するが、本発明のアドレス管理装置はルータに限定されない。例えば、アドレス管理装置は、サーバでもよい。
【００２６】
図１は、本発明の一実施例のアドレス管理システムを示したブロック図である。
【００２７】
図１において、アドレス管理システムは、端末機１００と、ルータ３００および４００とを含む。
【００２８】
端末機１００は、リンク１０を介して、ルータ３００と接続しても良いし、リンク２０を介して、ルータ４００と接続してもよい。図１では、ルータ３００に接続された端末機１００と、ルータ４００に接続された端末機１００が両方とも示されている。以下では、端末機１００は、先ずルータ３００と接続され、その後、ルータ４００と接続されたとする。なお、リンク１０および２０は、例えば、無線ＬＡＮまたはイーサネットなどの通信路である。
【００２９】
また、端末機１００は、ルータ３００または４００、および、ネットワーク１０００を介して端末機２００とパケットの送受信を行う。なお、端末機１００および２００は、例えば、パーソナルコンピュータである。
【００３０】
また、ネットワーク１０００は、例えば、インターネットまたはＬＡＮなどの通信ネットワークである。
【００３１】
ネットワーク１０００は、第一ネットワーク（図示せず）と、第二ネットワーク（図示せず）とを含む。なお、第一ネットワークおよび第二ネットワークとは、互いに異なるネットワークである。換言すれば、第一ネットワークのネットワークプレフィックスおよび第二ネットワークのネットワークプレフィックスは互いに異なる。以下では、ネットワークプレフィックスを、プレフィックスという。
【００３２】
ルータ３００および４００は、ネットワーク１０００と接続する。なお、ルータ３００および４００は、それぞれ所定のネットワークに所属する。以下では、ルータ３００は、第一ネットワークに所属し、ルータ４００は、第二ネットワークに所属することにする。
【００３３】
また、ルータ３００および４００は、互いに同じ構成を有する。このため、以下では、ルータ４００を説明し、ルータ３００の説明を省略する。なお、端末機１００は、ルータ４００と接続されているとする。
【００３４】
図２は、端末機１００およびルータ４００の構成を示したブロック図である。
【００３５】
端末機１００は、アドレス生成情報受信部１１０と、アドレス設定部１２０と、通信インターフェース１３０とを含む。
【００３６】
アドレス生成情報受信部（以下、受信部という）１１０は、ルータ４００から、ルータ広告を受信する。
【００３７】
ルータ広告は、アドレス生成情報およびアドレス削除情報の少なくとも一方を含む。アドレス生成情報（以下、生成情報という）は、プレフィックスおよび該プレフィックスを持つアドレスを生成する旨の生成指示を含む。また、アドレス削除情報（以下、削除情報という）は、プレフィックスおよび該プレフィックスを持つアドレスを削除する旨の削除指示を含む。
【００３８】
アドレス設定部（以下、設定部という）１２０は、受信部１１０がルータ広告を受信すると、そのルータ広告に応じて、通信インターフェース１３０に設定されたアドレスを変更する。
【００３９】
具体的には、設定部１２０は、受信部１１０が生成情報を受信すると、その生成情報が含む生成指示にて生成が指示されたアドレスを生成する。換言すれば、設定部１２０は、その生成情報が含むプレフィックスを持つアドレスを生成する。設定部１２０は、アドレスを生成すると、そのアドレスを通信インターフェース１３０に設定する。
【００４０】
また、設定部１２０は、受信部１１０が削除情報を受信すると、その削除情報が含む削除指示にて削除が指示されたアドレスを、通信インターフェース１３０から削除する。換言すれば、設定部１２０は、その削除情報が含むプレフィックスを持つアドレスを通信インターフェース１３０から削除する。
【００４１】
通信インターフェース１３０は、端末機１００のアドレスが設定され、そのアドレスを含み、かつ、端末機２００宛のパケットをルータ４００に送信する。
【００４２】
ルータ４００は、リンク監視部４１０と、ルータ広告送信部４２０と、記憶部４３０とを含む。
【００４３】
リンク監視部（以下、監視部という）４１０は、リンク２０を監視して、異常（不適当）なアドレスを含むパケットを監視する。なお、異常なアドレスは、自己（ルータ装置４００）の所属するネットワークに含まれないアドレスである。
【００４４】
具体的には、監視部４１０は、端末機１００の通信インターフェース１３０からパケットを受信し、そのパケットに含まれるアドレスが自己の所属するネットワーク（第二ネットワーク）に含まれるか否かを判定する。
【００４５】
さらに言えば、記憶部４３０が、所属プレフィックスを記憶する。監視部４１０は、記憶部４３０に記憶されえたプレフィックスを確認し、そのアドレスが、その所属プレフィックスを持つか否かを判定することで、そのアドレスが第二ネットワークに含まれるか否かを判定する。なお、所属プレフィックスは、第二ネットワークのプレフィックスである。
【００４６】
ルータ広告部（以下、広告部という）４２０は、監視部４１０にてそのアドレスが第二ネットワークに含まれないと判定されると、換言すれば、監視部４１０にてそのアドレスが所属プレフィックスを持たないと判定すると、そのアドレスに応じて、ルータ広告を作成する。
【００４７】
具体的には、先ず、広告部４２０は、そのアドレスのプレフィックスおよびそのプレフィックスを持つアドレスを削除する旨の削除指示を含む削除情報を作成する。なお、削除指示にて削除が指示されるアドレスは、少なくとも監視部４２０が受信したパケットに含まれるアドレスを含む。このため、本実施例では、この削除指示を、監視部４２０が受信したアドレスを削除する旨の削除指示の代わりとして用いる。
【００４８】
続いて、広告部４２０は、その所属プレフィックスおよびその所属プレフィックスを持つアドレスを生成する旨の生成指示を含む生成情報を作成する。広告部４２０は、削除指示および生成指示を作成すると、その削除情報および生成情報を含むルータ広告を作成する。
【００４９】
広告部４２０は、ルータ広告を作成すると、そのルータ広告を端末機１００の受信部１１０に送信する。
【００５０】
記憶部４３０は、自己（ルータ装置４００）の所属するネットワークの所属プレフィックス（第二ネットワークのプレフィックス）を記憶する。
【００５１】
次に動作を説明する。
【００５２】
端末機１００が、リンク１０を介して、ルータ３００と接続され、ルータ３００の所属するネットワークのプレフィックスＰ１を持つアドレスＰ１Ａが設定される。その後、端末機１００がルータ４００と接続されたリンク２０に接続されたとする。なお、通常、端末機１００は、リンク２０に接続されても、アドレスＰ１Ａの有効期間が過ぎるまで、アドレスＰ１Ａは削除されない。
【００５３】
また、ルータ４００の記憶部４３０には、所属プレフィックスとしてプレフィックスＰ２が記憶されているとする。
【００５４】
図３は、アドレス管理システムの動作を説明するためのフローチャートである。
【００５５】
ステップＳ３０１では、端末機１００の通信インターフェース１３０は、自己に設定されたアドレスを含み、端末機２００宛のパケットを、ルータに送信する。ルータ４００の監視部４１０は、そのパケットを受信すると、ステップＳ３０２を実行する。
【００５６】
ステップＳ３０２では、監視部４１０は、そのパケットからアドレスを抽出する。監視部４１０は、アドレスを抽出すると、記憶部４３０に記憶されたプレフィックスＰ２を確認する。監視部４１０は、そのアドレスがそのプレフィックスＰ２を持つか否かを判定する。
【００５７】
さらに言えば、監視部４１０は、そのアドレスからプレフィックスを抽出する。監視部４１０は、そのアドレスから抽出したプレフィックスとプレフィックスＰ２とを照合して、そのアドレスから抽出したプレフィックスとプレフィックスＰ２とが同じか否を判定する。
【００５８】
監視部４１０は、そのアドレスから抽出したプレフィックスとその確認したプレフィックスＰ２とが同じと判定すると、そのアドレスがプレフィックスＰ２を持つと判定する。一方、監視部４１０は、そのアドレスから抽出したプレフィックスとその確認したプレフィックスＰ２とが異なると判定すると、そのアドレスが記憶部４３０に記憶されたプレフィックスＰ２を持たないと判定する。
【００５９】
監視部４１０は、そのアドレスがプレフィックスＰ２を持つと、ステップＳ３０３を実行し、そのアドレスがプレフィックスＰ２を持たないと、ステップＳ３０４を実行する。
【００６０】
ステップＳ３０３では、監視部４１０は、そのパケットを、ネットワーク１０００を介して端末機２００に送信する。監視部４１０は、そのパケットを端末機２００に送信すると、待機状態になる。
【００６１】
ステップＳ３０４では、監視部４１０は、そのアドレスを広告部４２０に出力する。広告部４２０は、アドレスを受け付けると、ステップＳ３０５を実行する。
【００６２】
ステップＳ３０５では、広告部４２０は、そのアドレスからプレフィックス（以下、プレフィックスＰ１という）を抽出し、かつ、記憶部４３０からプレフィックスＰ２を取得する。
【００６３】
広告部４２０は、そのプレフィックスＰ１およびプレフィックスＰ１を持つアドレスを削除する旨の削除指示を含む削除情報を作成すると共に、そのプレフィックスＰ２およびプレフィックスＰ２を持つアドレスを生成する旨の生成指示を含む生成情報を作成する。広告部４２０は、削除情報および生成情報を作成すると、その削除情報および生成情報を含むルータ広告を作成する。
【００６４】
広告部４２０は、そのルータ広告を、リンク２０を介して端末機１００の受信部１１０に送信する。受信部１１０は、そのルータ広告を受信すると、ステップＳ３０６を実行する。
【００６５】
ステップＳ３０６では、受信部１１０は、そのルータ広告から削除情報および生成情報を抽出し、その削除情報および生成情報を設定部１２０に出力する。
【００６６】
設定部１２０は、削除情報および生成情報を受け付けると、その削除情報が含む削除指示にて削除が指示されたアドレス（プレフィックスＰ１を持つアドレス）を通信インターフェース１３０から削除する。
【００６７】
また、設定部１２０は、その生成情報が含む生成指示にて生成が指示されたアドレス（プレフィックスＰ２を持つアドレス）を生成する。設定部１２０は、生成したアドレスを通信インターフェース１３０に設定する。
【００６８】
本実施例によれば、端末機１００の通信インターフェース１３０は、自己に設定されたアドレスをルータ４００に送信する。ルータ４００の監視部４１０は、そのアドレスを受信し、そのアドレスが、ルータ４００が所属するネットワーク（第二ネットワーク）に含まれるか否かを判定する。
【００６９】
監視部４１０にてそのアドレスが第二ネットワークに所属していないと判定されると、広告部４２０は、そのアドレスを削除する旨の削除指示を端末機１００に送信する。端末機１００の受信部１１０がその削除指示を受信すると、設定部１１０は、その削除指示にて削除が指示されたアドレスを通信インターフェース１３０から削除する。
【００７０】
この場合、端末機１００に設定されたアドレスが、第二ネットワークに含まれるか否かが判定される。そのアドレスが第二ネットワークに含まれないと、そのアドレスを削除する旨の削除指示が端末機１００に送信される。また、その削除指示にて削除が指示されたアドレスが端末機１００から削除される。
【００７１】
このため、第二ネットワークに含まれないアドレスが何度もルータ４００に送信されることを防止することが可能になる。よって、端末機１００のアドレスの管理にかかる負荷を軽減することが可能になる。
【００７２】
また、本実施例では、監視部４１０は、記憶部４３０に記憶されえたプレフィックスを確認し、そのアドレスが第二ネットワークに含まれるか否かを、そのアドレスが所属プレフィックスを持つか否かで判定する。
【００７３】
この場合、アドレスが第二ネットワークに含まれるか否を、より正確に判断することが可能になる。
【００７４】
また、本実施例では、広告部４２０は、監視部４１０にて受信されたアドレスが第二ネットワークに含まれないと判定されると、そのアドレスからプレフィックスを抽出する。その後、また広告部は、そのプレフィックスを持つアドレスを削除する旨の削除指示を端末機１００に送信する。
【００７５】
この場合、端末機１００から受信したアドレスだけでなく、そのアドレスの所属するネットワークのアドレスを全て削除することが可能になる。このため、ルータ４００は、アドレスを削除する旨の削除指示がアドレスごとに送信されなくても良くなり、端末機の１００のアドレスの管理にかかる負荷を軽減することが可能になる。
【００７６】
以上説明した実施例において、図示した構成は単なる一例であって、本発明はその構成に限定されるものではない。
【図面の簡単な説明】
【００７７】
【図１】本発明の一実施例のアドレス管理システムを示したブロック図である。
【図２】端末機およびルータの構成を示したブロック図である。
【図３】アドレス管理システムの動作の一例を説明するためのフローチャートである。
【符号の説明】
【００７８】
１００    端末機
１１０    アドレス生成情報受信部
１２０    アドレス設定部
１３０    通信インターフェース
２００    端末機
３００    ルータ
４００    ルータ
４１０    リンク監視部
４２０    ルータ広告送信部
４３０    記憶部
１０００  ネットワーク
【図１】
2007288315.tif 000003
【図２】
2007288315.tif 000004
【図３】
2007288315.tif 000005